(57)【要約】【課題】足場板に簡単にかつ強力に取り付けることができる足場用幅木を提供する【解決手段】幅木本体２と、前記幅木本体２の下部に設けられた取付部材３を備え、枠体５３と天板５４を有する足場板５２に前記幅木本体２が起立状態となるように取り付けられる足場用幅木１である。前記取付部材３は、前記足場板５２の周縁の上面５６及び側面５７に沿った形状に構成された取付板９と、前記取付板９に設けられ、前記枠体５３の下面側に延在する水平丸軸部を有する連結金具１０と、前記連結金具１０の水平丸軸部に回動可能に軸支され、前記枠体５３の下面５８に接離可能な偏心カム２５と前記枠体の下面内縁６０に係脱可能な止め板２６とを備え、前記偏心カム２５が前記枠体の下面５８に接合するときに前記止め板２６が係合するように構成されている係合部材１１とを備える。【選択図】図１
2008169557.tif 000002
【特許請求の範囲】
【請求項１】
複数の支柱間に設けた足場板の側縁に、取付部材によって起立状態で取り付けられる足場用幅木において、
前記取付部材は、
幅木の側縁に取り付けられ、前記足場板の側縁に沿って前記足場板の厚み方向に延在する取付板と、
前記足場板の下面側に延在する水平軸部を有する連結金具と、
前記連結金具の水平軸部が下方向に移動可能となるように前記連結金具を前記取付板に取り付ける保持部材と、
前記足場板への取り付け時に前記水平軸部を前記足場板に近づける方向に前記連結軸を付勢する付勢部材と、
前記連結金具の水平軸部に軸支され、一体的に回動可能な偏心カムとレバーを有する係合部材を備え、
前記足場用幅木を足場板上に起立させるとともに、前記係合部材を前記足場板の側部下方に位置させ、前記レバーを回転させることにより前記足場板の下面を前記偏心カムで圧接して前記付勢部材の撥力に抗して前記足場用幅木を前記足場板上に固定することを特徴とする足場用幅木。
【請求項２】
前記取付板は、前記足場板の上面に沿った上面部と側面に沿った側面部を有する断面略Ｌ字形状に構成され、前記上面部と前記係合部材で前記足場板を挟持することによって前記足場用幅木を固定することを特徴とする請求項１記載の足場用幅木。
【請求項３】
前記足場板は断面コ字状の枠体と前記枠体に固定された天板を備え、前記偏心カムが前記枠体の下面に圧接するように構成されたことを特徴とする、請求項１又は２に記載の足場用幅木。
【請求項４】
前記係合部材は、前記水平軸部の前記偏心カムよりも前記足場板内側位置に、前記偏心カムと一体的に回動可能に偏心軸支された止め板を有し、
前記偏心カムが前記枠体下面に圧接するときに前記止め板が前記枠体下面内縁側に位置するように構成されることを特徴とする、請求項３に記載の足場用幅木。
【請求項５】
前記レバーは、前記偏心カムが前記足場板へ圧接する時に前記足場板の下面に沿った向きとなるように構成されることを特徴とする、請求項１から４のいずれか１つに記載の足場用幅木。
【請求項６】
前記付勢部材はコイルバネで構成されるとともに、前記連結金具は断面Ｌ字型に構成された連結軸であり、
前記連結軸は、上端に設けられたバネ抜け止め部を有し、
前記保持部材は、前記連結軸が挿入された状態で前記連結軸を保持する支持部を備え、前記連結軸に挿入された前記コイルバネが前記バネ抜け止め部と前記支持部によって挟まれた状態に前記連結軸を保持することを特徴とする、請求項１から５のいずれか１つに記載の足場用幅木。
【請求項７】
前記保持部材は、前記支持部を底面とする箱状部材であって、前記コイルバネを収納可能なホルダーとして構成されることを特徴とする、請求項６に記載の足場用幅木。
【発明の詳細な説明】
【技術分野】
【０００１】
本発明は、建築や土木工事の作業足場を構成する足場板に取り付ける足場用幅木に関する。
【背景技術】
【０００２】
建築や土木工事の仮設作業足場には、建枠足場、システム足場、支保工用の足場などがあり、いずれの場合も、水平横架材の間に足場板を仮設して作業床を形成した構造になっている。
【０００３】
ところで、上記のような仮設作業足場については、関係省庁から墜落防止ガイドラインが通達され、足場板上で足を滑らせることによって発生する足場板上からの墜落を防止する手段として、また、足場板上からの物品の落下を防止するため、足場板の建物と反対側の位置に足場用幅木を起立状に設ける必要性が生じている。
【０００４】
従来、仮設作業足場における幅木の例としては、例えば、特許文献１（特開２００５−１３９６６３号公報）に示すものが提案されている。この幅木は、幅木本体の両端部に、この幅木本体の下部から一面側に突出し、幅木本体を起立状態で足場板上に載置するための載置板と、幅木本体が足場板上に起立する状態で足場板の下面側に係脱自在となり、上記幅木本体を足場板に直接固定する取り付け金具を設けた構成を採用している。また、取り付け金具は、幅木本体に垂直の軸心を中心に回転可能に取り付けた回転軸と、幅木本体の下面から突出する上記回転軸の下端水平軸部に回転及び当該水平軸方向への移動が可能となるよう取り付けられ、側面に傾斜面が設けられ、足場板の下面側に位置させた直立状態で上端部を足場板の下面に当接させることができる係合金具と、上記係合金具に対してその側面の傾斜面が足場板の下面内側コーナに圧接する方向の移動弾性を付勢する弾性部材とで形成されている。
【特許文献１】特開２００５−１３９６６３号公報
【発明の開示】
【発明が解決しようとする課題】
【０００５】
しかし、特許文献１に開示の幅木は、幅木を足場板に固定する場合は、取付金具を軸心中心に回転させた後、係合金具を足場板の下面に当接させるという２段階の動作が必要となる。さらに、係合金具を固定する動作においては、係合金具をバネの付勢力に抗して外側へ引き寄せ、その状態で足場板の下面に押しつける必要があるため、締め付けの手間が大きい。一方で、係合金具の上面に設けられた突起によって足場板に固定する構成としているが、当該突起とは別に足場板の枠体に取り付け金具の傾斜面が当接する構成であるため、足場板の形状によっては当該突起で幅木を支える支持力が弱くなるという問題を有する。
【０００６】
また、取り付け金具が幅木本体に垂直の軸心を中心に回転可能に取り付けられているため、複数枚を積み重ねるときに当該軸心を中心に取付金具が回転し、載置板と取り付け金具が幅木本体に対して反対側に向く場合があり、幅木の幅寸法が大きくなる場合がある。したがって、複数枚の幅木を重ねる場合、嵩張りやすく結束が困難である。
【０００７】
したがって、本発明が解決しようとする技術的課題は、上記の問題を解決し、足場板に簡単にかつ強力に取り付けることができる足場用幅木を提供することである。
【課題を解決するための手段】
【０００８】
本発明は、上記技術的課題を解決するために、以下の構成の足場用幅木を提供する。
【０００９】
本発明は、複数の支柱間に設けた足場板の側縁に、取付部材によって起立状態で取り付けられる足場用幅木において、
前記取付部材は、
幅木の側縁に取り付けられ、前記足場板の側縁に沿って前記足場板の厚み方向に延在する取付板と、
前記足場板の下面側に延在する水平軸部を有する連結金具と、
前記連結金具の水平軸部が下方向に移動可能となるように前記連結金具を前記取付板に取り付ける保持部材と、
前記足場板への取り付け時に前記水平軸部を前記足場板に近づける方向に前記連結軸を付勢する付勢部材と、
前記連結金具の水平軸部に軸支され、一体的に回動可能な偏心カムとレバーを有する係合部材を備え、
前記足場用幅木を足場板上に起立させるとともに、前記係合部材を前記足場板の側部下方に位置させ、前記レバーを回転させることにより前記足場板の下面を前記偏心カムで圧接して前記付勢部材の撥力に抗して前記足場用幅木を前記足場板上に固定することを特徴とする足場用幅木を提供する。
【００１０】
上記構成において、前記取付板は、前記足場板の上面に沿った上面部と側面に沿った側面部を有する断面略Ｌ字形状に構成され、前記上面部と前記係合部材で前記足場板を挟持することによって前記足場用幅木を固定することが好ましい。
【００１１】
また、前記足場板は断面コ字状の枠体と前記枠体に固定された天板を備え、前記偏心カムが前記枠体の下面に圧接するように構成される。
【００１２】
さらに、前記係合部材は、前記水平軸部の前記偏心カムよりも前記足場板内側位置に、前記偏心カムと一体的に回動可能に偏心軸支された止め板を有し、
前記偏心カムが前記枠体下面に圧接するときに前記止め板が前記枠体下面内縁側に位置するように構成されることが好ましい。
【００１３】
また、前記レバーは、前記偏心カムが前記足場板へ圧接する時に前記足場板の下面に沿った向きとなるように構成されることが好ましい。
【００１４】
前記連結金具は、断面Ｌ字型に構成された連結軸であり、
前記取付部材は、
前記連結軸を前記取付板から下方向に進退可能に取り付ける保持部材と、
前記足場板への固定時に前記水平軸部を前記足場板に近づける方向に前記連結軸を付勢する付勢部材を備え、
前記偏心カムは、前記付勢部材の撥力に抗して足場板下面を圧接することにより前記足場用幅木を固定することが好ましい。
【００１５】
また、上記構成において、前記保持部材は、前記支持部を底面とする箱状部材であって、前記コイルバネを収納可能なホルダーとして構成されることが好ましい。
【発明の効果】
【００１６】
本発明によれば、足場用幅木を取付部材により足場板に取り付ける動作は、足場板に足場用幅木を設置して、係合部材を回転させて固定するだけでよいので、動作を簡単にすることができると共に、偏心カムにより、足場板の厚み方向にしっかりと固定することができる。また、連結金具を付勢部材を介して取付板に固定することにより、係合部材の係合時に連結金具が移動し、付勢部材の撥力に抗して足場用幅木を固定することができる。よって、足場板の厚み寸法が異なる場合であっても、広く適用可能である。また、偏心カムによる圧接方向と連結金具との移動方向が同じであるため、固定のための動作をスムーズにすることができる。さらに、係合部材に止め板を設けることにより足場板の厚み方向だけでなく幅方向にもしっかりと固定することができる。
【００１７】
また、係合部材を操作させるためのレバー圧接時に足場板の下面に沿った向きとなるようにすれば、足場用幅木の固定時にレバーが邪魔になることがない。
【００１８】
本発明の構成において、さらに付勢部材としてコイルバネを用い、連結軸が挿入された状態で取付板を固定することにより、簡単な構成で連結軸を取付板の方向へ付勢させることができる。さらに、コイルバネを収納するホルダーを設けることにより、コイルバネにセメントなどが付着して弾性がなくなることが防止でき、連結金具の付勢力が小さくなることを防止することができる。
【発明を実施するための最良の形態】
【００１９】
以下、本発明の一実施形態に係る足場用幅木について、図面を参照しながら説明する。
【００２０】
足場用幅木１は、図１、図２に示すように、横長の幅木本体２と、この幅木本体２の両端部近傍に設けられ、上記幅木本体２を足場板５２に直接固定する２つの取付金具３と、幅木本体２の両端から延在する閉塞板４，５で形成されている。なお、図１においては、取付金具３が幅木本体２に２つ設けられているが、幅木本体２の幅寸法によって、１つでも３つ以上であってもよい。
【００２１】
図２に示すように、足場用幅木１は、支柱５０に連結された水平横架材５１に固定される足場板５２上に起立状態で取り付けられる。足場板５２は、断面コの字型のアルミや鋼板からなる枠体５３と天板５４で構成されたものである。
【００２２】
幅木本体２の長さは、足場板５２の長さと略同程度とし、高さ寸法は、例えば１５０ｍｍ程度とする。
【００２３】
幅木本体２は、アルミや鋼板等を用い、所定の高さと長さを有する垂直面板６の上下端部に外面側への折り返し壁７と８を設けた強度のある断面略コ字形の構造になっている。幅木本体２に取り付けられた閉塞板４，５は、幅木本体２の長手方向にスライド可能に取り付けられており、連続して幅木本体２が取り付けられる場合、隣り合う幅木本体２の間の隙間を閉塞する。
【００２４】
取付金具３は、足場板５２に係脱可能な構成を有し、幅木本体２を足場板５２に脱着可能に固定するもので、幅木本体２の下側折り返し壁８に固着された取付板９と、取付板９に設けられた連結金具１０と、連結金具１０に回動可能に軸支された係合部材１１と、連結金具１０を取付板９に軸方向へのみ移動可能に保持するホルダー１２とを備える。
【００２５】
取付板９は、図２及び図５に示すように、足場板５２の枠体５３の上面５６及び側面５７に沿った断面Ｌ字形に構成された金属部材で、枠体５３の側面５７に沿う側面部１４と、枠体５３の上面５６に沿う上面部１５とを備える。図３Ａに示すように、側面部１４には、後述するようにホルダー１２を取り付けるための取り付け孔１７が設けられている。また、上面部１５の内側端部には、折り返し部１６が設けられており、図２に示すように枠体５３の上面内側端部５９に係止されるようになっている。なお、折り返し部１６は、天板５４がエキスパンドメタルで構成されている場合は、その網目内に嵌り込む突起で構成されていてもよい。
【００２６】
連結金具１０は、図３Ａに示すように、Ｌ字形の丸軸で、当該連結金具１０が鉛直部１８を中心として回転することを防止するための回転防止用突起１８ａと、バネ抜け止め部２０が上端に設けられている。また、連結金具１０の水平丸軸部１９は、枠体５３の下面に略水平になるように配置され、係合部材１１を回動自在に軸支する支持軸として機能する。連結金具１０の鉛直部１８には、図３Ａに示すように、上方の一部分にコイルバネ１３がバネ抜け防止部２０により上方へ抜け止めされて挿入された状態でホルダー１２に収納される。したがって、連結金具１０は、上記コイルバネ１３を介して、鉛直部１８の延在方向に進退可能に取付板９に取り付けられる。コイルバネ１３は、足場板への取り付け時に連結金具１０の水平丸軸部１９を足場板に近づける方向に連結金具１０を付勢する付勢部材として機能する。
【００２７】
なお、連結金具１０は、図４に示すように、鉛直部１８を中心として回転することを防止するために、断面を非円形例えば、矩形に構成してもよい。また、例えば、バネ抜け止め部を非円形又は矩形に構成することによって、連結金具の回転を防止することもできる。
【００２８】
係合部材１１は、図３Ａの組立分解図に示すように、偏心カム２５，止め板２６，レバー２７が一体的に構成された部材であり、連結金具１０の水平丸軸部１９に回動自在に取り付けられる。
【００２９】
偏心カム２５は、略楕円形状であり、連結金具１０の水平丸軸部１９との位置が長手方向の一方向に偏心して設けられている板カムである。図６に示すように偏心カム２５の先端部分２５１が枠体５３の下面５８にコイルバネ１３の弾性力と相まって圧接することにより、取付板９の上面部１５を枠体５２の上面５６に押しつけて固定し、足場板５２の厚み方向の位置ずれを防止する。偏心カム２５は、横向きの状態ではその表面と枠体５３の下面５８との間隔が空くように構成され、徐々に起立状態になるにしたがって、その先端２５１が枠体５３の下面５８と接触し、完全に起立状態となったときは、その先端により、連結金具１０を下向きに移動させる。
【００３０】
止め板２６は、長方形の板状部材であり、連結金具１０の水平丸軸部１９との連結部分が一方向に偏心して設けられ、その表面が枠体５３の下面内縁６０に位置することにより、足場板５２の天板５３に沿った方向の位置ずれを防止する。
【００３１】
偏心カム２５の長手方向と止め板２６の長手方向は略一致するように水平丸軸部１９に取り付けられているので、偏心カム２５が枠体５３の下面５８に圧接係合するときに同時に、止め板２６が枠体５３の内縁６０内側に位置する。
【００３２】
なお、係合部材１１は、図３Ａに示すように偏心カム２５，止め板２６，レバー２７が一体的に構成されている必要はない。例えば、図４に示すように、偏心カム２５ａ、止め板１１ａ、レバー２７ａがそれぞれ独立に成形されたあと、それぞれを溶接などの手段により固定して、連結金具１０に回動可能に取り付けられていてもよい。
【００３３】
ホルダー１２は、連結金具１０を取付板９の側面部１４に保持する保持部材として機能する。また、図３Ａに示すものは、コイルバネ１３を被覆するように構成される。ホルダー１２は、図３Ａに示すように、下側に切り欠き２４が設けられている本体２１と本体２１を側面部１４に固定するための固定部２２とを備える。固定部２２には、貫通孔２３が設けられている。取付板９の側面部１４の取り付け孔１７と位置あわせした状態で、例えば、ビスなどを用いてホルダー１２を取付板９の側面部１４に固定する。
【００３４】
ホルダー１２に設けられている切り欠き２４は、コイルバネ１３の径よりも小さく、連結金具１０の鉛直部１８よりも大きな寸法に構成されている。連結金具１０の鉛直部１８が挿入されたコイルバネ１３を本体内部２１ａに収納するように切り欠き２４に鉛直部１８を嵌め込み、これを取付板９の側面部１４に取り付けることで、連結金具１０を取付板９に取り付ける。また、図３Ｂに示すように、切り欠き２４の外周部分には、コイルバネ１３に係合する突起２４ａが設けられており、バネが本体内部２１ａで移動することを防止する。これにより、連結金具１０の鉛直部が切り欠き２４内で移動することが防止される。
【００３５】
連結金具１０は、コイルバネ１３を介して取付板９に保持されているだけなので、鉛直部１８の延在方向に移動することができる。よって、後述する取付金具３の取り付け動作において、係合部材１１を回動させ、偏心カム２５が枠体５３の下面５８を圧接するにしたがって、下向きに連結金具が移動するため、圧着動作をスムーズに行うことができる。
【００３６】
本実施形態にかかる足場用幅木１は、上記のような構成であり、図５のように、折り返し部１６が足場板５２の枠体５３上面５６の内縁５９に係止するようにして、足場板５２に取付金具３の取付板９を取り付ける。このとき係合部材１１は、図６（ａ）及び図７（ａ）に示すように、レバー２７が重力によって垂れ下がり、偏心カム２５及び止め板２６の長手方向が横を向くようになっている。上記のように、偏心カム２５が横を向いている状態では、偏心カム２５及び止め板２６は枠体５３の下面５８より下方に位置するため取付板９、取付金具３の取り付け時に係合部材１１が邪魔になることはない。
【００３７】
その後、図６（ａ）に示すように、レバー２７を矢印９０の方向に移動させ、取付金具３を枠体５３に固定する。レバーを矢印９０の方向に回動することによって、偏心カム２５及び止め板２６が図６（ｂ）に示すように長手方向が上下方向となるように回転する。このとき、レバー２７は、偏心カム２５及び止め板２６が枠体５３へ係合する時に前記枠体５３の下面５８に近づくように回動するため、邪魔になることがない。
【００３８】
偏心カム２５の先端部２５１が枠体５３の下面５８に接触した状態でさらにレバーを回動することにより、図６（ｂ）及び図７（ｂ）に示すような状態となる。上記のように、偏心カム２５の先端部２５１は、偏心カムの長手方向が起立状態となる前に枠体下面５８に接触するように取付板が構成されているので、偏心カム２５の先端部２５１が下面５８の表面に接触した状態で、さらに偏心カム２５が直立方向に回転すると、係合部材１１及び連結金具１０に下向きに力が働き、連結金具１０の鉛直部１８が矢印９１に示すように下側に移動する。上記のように連結金具の鉛直部１８は、コイルバネ１３が縮むことによって、上向き、すなわち、係合部材１１が枠体５３の下面に近づく方向に付勢されるので、コイルバネ１３による係合部材１１の付勢力と取付板９の上面部１５に挟まれて、取付金具３は枠体５３に固定される。
【００３９】
さらに、図７（ｂ）に示すように、偏心カム２５が枠体５３の下面５８に圧着して係合するときには、止め板２６が枠体５３の下面内縁６０の内方に位置する。また、上記のように折り返し部が枠体の上面内縁５９に係合する。これらの部材により、取付金具３が枠体５３から外れる方向（図７（ｂ）において左側方向）に位置ずれすることが防止される。また、本実施形態においては、取付板９の折り返し部が枠体５３の上面内縁５９に係合しているので、取付金具３つまり足場用幅木１の脱落がより確実に防止される。
【００４０】
なお、足場板５２から足場用幅木１を取り外すときは、上記の取り付け時と逆の手順と操作によって行うことができる。
【００４１】
以上説明したように、本実施形態の足場用幅木によれば、簡単な動作と手順によって確実に足場板に足場用幅木を脱着することが可能である。また、積み重ね時にかさばることがない。また、連結金具が枠体の厚み方向にコイルバネを介して進退可能に構成されているために、固定時に必要とする力が小さくてすみ、固定動作をスムーズにすることができる。さらに、枠体の下面と内縁をしっかりと固定することができるため、不用意に脱落することない。
【００４２】
なお、本発明は上記実施形態に限定されるものではなく、その他種々の態様で実施可能である。具体的な態様としては、例えば、図４に示すような構成とすることもできる。また、連結金具を付勢する付勢部材としては、コイルバネ以外にも例えば、ゴムなどの弾性体を広く用いることができる。具体的にはゴムをチューブ状に成型し、連結軸が挿入された状態で、ホルダーに保持することで、上記実施形態のコイルバネと同様の作用及び効果を奏することができる。
【産業上の利用可能性】
【００４３】
本発明の足場用幅木は、建築や土木工事の作業足場を構成する足場板に直接取り付けることができ、建築現場及び土木工事において好適に使用することができる。
【図面の簡単な説明】
【００４４】
【図１】本発明の実施形態にかかる足場用幅木の構成を示す斜視図である。
【図２】図１の足場用幅木の足場板への取り付け状態を示す横断面図である。
【図３Ａ】図１の足場用幅木の部分分解斜視図である。
【図３Ｂ】図３Ａのホルダの拡大斜視図である。
【図４】図１の足場用幅木の変形例の構成を示す部分分解斜視図である。
【図５】図１の足場用幅木の足場板への取り付け状態を示す拡大斜視図である。
【図６】図１の足場用幅木の取り付け状態を示す拡大図である。
【図７】図１の足場用幅木の取り付け状態を示す拡大図である。
【符号の説明】
【００４５】
１，１ａ  足場用幅木
２  幅木本体
３  取付金具
４、５  閉塞板
６  垂直面板
７、８  折り返し壁
９  取付板
１０  連結金具
１１  係合部材
１２  ホルダー
１３  コイルバネ
１４  側面部
１５  上面部
１６  折り返し部
１７  取り付け孔
１８  鉛直部
１９  水平丸軸部
２０  バネ抜け止め部
２１  本体
２２  固定部
２３  貫通孔
２４  切り欠き
２５  偏心カム
２６  止め板
２７  レバー
３７  連結部
５０  支柱
５１  水平横架材
５２  足場板
５３  枠体
５４  天板
５６  上面
５７  側面
５８  下面
５９  枠体上面の内縁
６０  枠体下面の内縁
【図１】
2008169557.tif 000003
【図２】
2008169557.tif 000004
【図３Ａ】
2008169557.tif 000005
【図３Ｂ】
2008169557.tif 000006
【図４】
2008169557.tif 000007
【図５】
2008169557.tif 000008
【図６】
2008169557.tif 000009
【図７】
2008169557.tif 000010